(57)【要約】【課題】本発明の目的は、８ｍｍビデオカセット並みの超小型なサイズで録画再生が可能なビデオカメラを実現すること、及び、本ビデオカメラと外部記録装置とから成り長時間の映像データを記録できるビデオカメラシステムを実現することである。【解決手段】ビデオカメラ２０で撮影した映像データは、圧縮伸長回路５で圧縮され、ビデオカメラ２０内に固定された内蔵型半導体メモリ６やディスク形メモリ１３に圧縮された映像データが記録され、記録された映像データは外部記録装置２３に転送される。また、外部記録装置２３は転送された映像データを圧縮したままデータストレージに記録する。ビデオカメラ２０は、再生時、外部記録装置２３で読み出された圧縮映像データを入力し、伸長してテレビ信号に変換する。超小型でかつ長時間の映像データが記録可能な録画再生機能付ビデオカメラ、及びそれを用いたビデオカメラ。【選択図】図１
2006203954.tif 000002
【特許請求の範囲】
【請求項１】
結像した光学像を光電変換する撮像素子、該撮像素子を駆動する駆動回路、該撮像素子の出力信号に所定の信号処理を施し、所定の動画映像データを生成する信号処理回路、該動画映像データに所定のデータ圧縮処理を施し、圧縮映像データを生成する圧縮回路、該圧縮映像データを記憶する記憶装置、及び該記憶装置から読み出された該圧縮映像データを該ビデオカメラ本体の外部に出力するディジタル信号出力手段を設けたことを特徴とするビデオカメラ。
【請求項２】
前記記憶装置は、ビデオカメラ本体内部に固定されていることを特徴とする請求項１記載のビデオカメラ。
【請求項３】
前記記憶装置は、半導体メモリであることを特徴とする請求項１記載のビデオカメラ。
【請求項４】
前記記憶装置として用いられる半導体メモリは、複数のメモリウェハーを積層した構造であることを特徴とする請求項３記載のビデオカメラ。
【請求項５】
前記記憶装置は、ディスク形メモリであることを特徴とする請求項１記載のビデオカメラ。
【請求項６】
前記記憶装置からの圧縮映像データを伸長する伸長回路、伸長された動画映像データをテレビ信号に変換するテレビ信号処理回路、及び該テレビ信号を外部に出力するテレビ信号出力手段をさらに設けたことを特徴とする請求項１記載のビデオカメラ。
【請求項７】
前記ディジタル信号出力手段は、外部に前記圧縮映像データを出力するとともに、外部からの圧縮映像データを入力するディジタル信号入出力手段であって、前記伸長回路は、該ディジタル信号入出力手段からの圧縮映像データを伸長することを特徴とする請求項６記載のビデオカメラ。
【請求項８】
外部からテレビ信号を入力するテレビ信号入力手段、及び該テレビ信号入力手段から入力されたテレビ信号を前記動画映像データに変換するテレビ信号処理回路を設け、前記圧縮回路は、該テレビ信号処理回路によって変換された動画映像データにデータ圧縮処理を施し、前記圧縮データを生成することを特徴とする請求項１記載のビデオカメラ。
【請求項９】
前記記憶装置から読み出された圧縮データを外部の通信網に送出する通信回路をさらに設けたことを特徴とする請求項１記載のビデオカメラ。
【請求項１０】
結像した光学像を光電変換する撮像素子、該撮像素子を駆動する駆動回路、該撮像素子の出力信号に所定の信号処理を施し、所定の動画映像データを生成する信号処理回路、該動画映像データに所定のデータ圧縮処理を施し、圧縮映像データを生成する圧縮回路、該圧縮映像データを記憶する第１の記憶装置、及び該第１の記憶装置から読み出された該圧縮映像データを該ビデオカメラ本体の外部に出力する第１のディジタル信号出力手段を含むビデオカメラ本体と、
該ビデオカメラ本体の第１のディジタル信号出力手段に着脱可能に接続され、該圧縮映像データを入力する第１のディジタル信号入力手段、及び該第１の記憶装置よりも大容量であって、該第１のディジタル信号入力手段によって入力した該圧縮映像データを記憶する第２の記憶装置を含む外部記録装置とを設けたことを特徴とするビデオカメラシステム。
【請求項１１】
前記第１のディジタル信号出力手段は、前記圧縮映像データを示す電気信号を光信号に変換して外部に出力する第１の発光素子であり、前記第１のディジタル信号入力手段は、該発光素子からの該光信号を該電気信号に変換する第１の受光素子であることを特徴とする請求項１０記載のビデオカメラシステム。
【請求項１２】
前記外部記録装置は、さらに、前記第２の記憶装置から読み出された前記圧縮映像データを出力する第２のディジタル信号出力手段を含み、
前記ビデオカメラ本体は、さらに、該外部記録装置の該第２のディジタル信号出力手段に着脱可能に接続され、該圧縮映像データを入力する第２のディジタル信号入力手段、該第２のディジタル信号入力手段によって入力した該圧縮映像データを伸長する伸長回路、該伸長回路によって伸長された動画映像データをテレビ信号に変換するテレビ信号処理回路、及び、該テレビ信号を外部に出力するテレビ信号出力手段を含むことを特徴とする請求項１０記載のビデオカメラシステム。
【請求項１３】
前記第１のディジタル信号出力手段及び前記第２のディジタル信号入力手段は、双方向でデータを伝送する１つの第１のディジタル信号入出力端子であって、
前記第１のディジタル信号入力手段及び前記第２のディジタル信号出力手段は、該第１のディジタル信号入出力端子に着脱可能に接続された１つの第２のディジタル信号入出力端子であることを特徴とする請求項１２記載のビデオカメラシステム。
【請求項１４】
前記第２のディジタル信号出力手段は、前記圧縮映像データを示す電気信号を光信号に変換して外部に出力する第２の発光素子であり、前記第２のディジタル信号入力手段は、該発光素子からの光信号を再び電気信号に変換する第２の受光素子であることを特徴とする請求項１２記載のビデオカメラシステム。
【請求項１５】
前記テレビ信号出力手段は、前記テレビ信号を光信号に変換して外部に出力する第３の発光素子であり、前記外部記録装置は、さらに、該第３の発光素子からの光信号を再び電気信号に変換する第３の受光素子、及び、該第３の受光素子からの該テレビ信号を外部に出力するテレビ信号出力端子を含むことを特徴とする請求項１４記載のビデオカメラシステム。
【請求項１６】
前記ビデオカメラ本体は、さらに、外部からテレビ信号を入力するテレビ信号入力手段、及び、該テレビ信号に所定の信号処理を施し、前記動画映像データを生成するテレビ信号処理回路を含むことを特徴とする請求項１０記載のビデオカメラシステム。
【請求項１７】
前記第１の記憶装置は、前記ビデオカメラ本体内部に固定されていることを特徴とする請求項１０記載のビデオカメラシステム。
【請求項１８】
前記第１の記憶装置は、半導体メモリであることを特徴とする請求項１０記載のビデオカメラシステム。
【請求項１９】
前記第１の記憶装置として用いられる半導体メモリは、複数のメモリウェハーを積層した構造であることを特徴とする請求項１８記載のビデオカメラシステム。
【請求項２０】
前記第１の記憶装置は、ディスク形メモリであることを特徴とする請求項１０記載のビデオカメラシステム。
【請求項２１】
前記ビデオカメラ本体を前記外部記録装置の所定の位置に載置することによって、前記第１のディジタル信号出力手段と前記第１のディジタル信号入力手段との間が接続されることを特徴とする請求項１０記載のビデオカメラシステム。
【請求項２２】
前記外部記録装置は、さらに、交流電源から直流電源を生成するＡＣアダプタ、及び該直流電源を出力する電源出力端子を含み、前記ビデオカメラ本体は、
該電源出力端子からの該直流電源を入力する電源入力端子、及び該電源入力端子によって入力された該直流電源が供給され、充電可能なバッテリを含むとともに、前記第１のディジタル信号出力手段から前記第１のディジタル信号入力手段へ前記圧縮映像データが転送される時に、該バッテリの充電が行なわれることを特徴とする請求項１０記載のビデオカメラシステム。
【請求項２３】
前記ビデオカメラ本体を前記外部記録装置の所定の位置に置くことによって、前記第１のディジタル信号出力手段と前記第１のディジタル信号入力手段との間、及び前記電源出力端子と前記電源入力端子との間が接続されることを特徴とする請求項２２記載のビデオカメラシステム。
【請求項２４】
結像した光学像を光電変換する撮像素子、該撮像素子を駆動する駆動回路、該撮像素子の出力信号に所定の信号処理を施し、所定の動画映像データを生成する信号処理回路、該動画映像データに所定のデータ圧縮処理を施し、圧縮映像データを生成する圧縮回路、該圧縮映像データを記憶する第１の記憶装置、該第１の記憶装置から読み出された該圧縮映像データを該ビデオカメラ本体の外部に出力するとともに、外部から該圧縮映像データを入力する第１のディジタル信号入出力手段、該第１のディジタル信号入出力手段によって入力された該圧縮映像データに伸長処理を施し、該動画映像データを再び生成する前記伸長回路、該伸長回路からの該動画映像データに所定の信号処理を施し、テレビ信号を生成するテレビ信号処理回路、及び該テレビ信号を外部に出力するテレビ信号出力手段を含むビデオカメラ本体と、
該ビデオカメラ本体の第１のディジタル信号入出力手段に着脱可能に接続され、該ビデオカメラ本体から該圧縮映像データを入力し、該ビデオカメラ本体へ該圧縮映像データを出力する第２のディジタル信号入出力手段、及び該第１の記憶装置よりも大容量であって、該第２のディジタル信号入出力手段によって入力した該圧縮映像データを記憶するとともに、該記憶した該圧縮映像データを該第２のディジタル信号入出力手段に供給する第２の記憶装置とを含む外部記録装置とを設けたことを特徴とするビデオカメラシステム。
【請求項２５】
前記第１の記憶装置は、前記ビデオカメラ本体内部に固定されていることを特徴とする請求項２４記載のビデオカメラシステム。
【請求項２６】
前記第１及び第２のディジタル信号入出力手段は、前記圧縮映像データを示す電気信号を光信号に変換して外部に出力する発光素子、及び入射した該光信号を該電気信号に変換する受光素子で構成されることを特徴とする請求項２４記載のビデオカメラシステム。
【請求項２７】
前記ビデオカメラ本体は、さらに、外部からテレビ信号を入力するテレビ信号入力手段を含み、前記テレビ信号処理回路は、該テレビ信号に所定の信号処理を施し、前記動画映像データを生成することを特徴とする請求項２４記載のビデオカメラシステム。
【請求項２８】
前記第１の記憶装置は、半導体メモリであることを特徴とする請求項２４記載のビデオカメラシステム。
【請求項２９】
前記第１の記憶装置は、ディスク形メモリであることを特徴とする請求項２４記載のビデオカメラシステム。
【請求項３０】
前記ビデオカメラ本体を前記外部記録装置の所定の位置に載置することによって、前記第１のディジタル信号入出力手段と前記第２のディジタル信号入出力手段との間が接続されることを特徴とする請求項２４記載のビデオカメラシステム。
【請求項３１】
前記外部記録装置は、さらに、交流電源から直流電源を生成するＡＣアダプタ、及び該直流電源を出力する電源出力端子を含み、前記ビデオカメラ本体は、さらに、該電源出力端子からの該直流電源を入力する電源入力端子、及び該電源入力端子によって入力された該直流電源が供給され、充電可能なバッテリを含み、
前記第１のディジタル信号入出力手段から前記第２のディジタル信号入出力手段へ前記圧縮映像データが転送される時に、該バッテリの充電が行なわれることを特徴とする請求項２４記載のビデオカメラシステム。
【請求項３２】
前記ビデオカメラ本体を前記外部記録装置の所定の位置に載置することによって、前記第１のディジタル信号入出力手段と前記第２のディジタル信号入出力手段との間、及び前記電源出力端子と前記電源入力端子との間が接続されることを特徴とする請求項３１記載のビデオカメラシステム。
【請求項３３】
結像した光学像を光電変換する撮像素子、該撮像素子を駆動する駆動回路、該撮像素子の出力信号に所定の信号処理を施し、所定の動画映像データを生成する信号処理回路、該動画映像データに所定のデータ圧縮処理を施し、圧縮映像データを生成する圧縮回路、該圧縮映像データを記憶する記憶装置、該記憶装置から読み出された該圧縮映像データを該ビデオカメラ本体の外部に出力するディジタル信号出力手段、該記憶装置からの圧縮映像データを伸長する伸長回路、該伸長された動画映像データをテレビ信号に変換するテレビ信号処理回路、及び該テレビ信号を外部に出力するテレビ信号出力手段を設けたことを特徴とするビデオカメラ。
【発明の詳細な説明】
【技術分野】
【０００１】
本発明は、半導体メモリやディスク形メモリを映像の記録手段として使用したビデオカメラ及びそれを用いたビデオカメラシステムに関する。
【０００２】
本発明は、電子財布システムを用いて商取引を行う際に、ＩＣカード内に電子マネー情報と共に所有者の年令情報を持たせるようにした電子財布応用システムに関するものである。
【背景技術】
【０００３】
従来のビデオカメラでは、「National Technical Report」 Vol.37 No.3 Jun.1991 pp.263−272に記載のように、ビデオカメラで撮影した映像の記録手段としてはビデオテープレコーダ（ＶＴＲ）が用いられ、カメラとＶＴＲが一つの筐体に収められていた。撮影した映像はこの筐体内に収められたＶＴＲによってテープに記録され、ＶＴＲテープを交換することにより長時間の映像データを記録できる。しかし、このようなカメラ／ＶＴＲ一体型カメラでは、ＶＴＲ部分をＶＴＲテープのカセットより小さいサイズにすることが原理的にできないため、カセットサイズ並みの超小型サイズで、かつ録画再生が可能なビデオカメラを実現することができなかった。
【０００４】
そこで、特開平６−２５３２５１号公報及び特開平４−３２８９６６号公報に記載されたビデオカメラに記載されているように、ＶＴＲを用いずに、カメラで撮影した映像データを圧縮し、半導体メモリに記録することで、超小型のビデオカメラを実現することが提案されている。ここに記載された技術では、ユーザがＶＴＲテープのように自由に半導体メモリを交換できるように、半導体メモリをＩＣカードに納め、ビデオカメラ本体から着脱できるようにしていた。
【特許文献１】特開平６−２５３２５１号公報
【特許文献２】特開平４−３２８９６６号公報
【非特許文献１】「National Technical Report」 Vol.37 No.3 Jun.1991 pp.263−272
【発明の開示】
【発明が解決しようとする課題】
【０００５】
しかし、半導体メモリを用いたＩＣカードは一般にビデオテープよりも高価であり、長期的な映像データの保存には向いていない。そこで、長期的な映像データの保存のために別個の据置型ＶＴＲを用いてビデオテープにダビングしようとすると、ダビングに要する時間は、撮影に要した時間と同じだけかかってしまい、ユーザに多大な負担を強いてしまうことになる。また、この場合、ディジタルで記録された映像データはアナログに戻されることになり、ディジタル記録の特徴が活かされないことになる。
【０００６】
また、ＩＣカードを着脱できる構成にすると、静電気や端子故障や振動などによりデータが破壊される確率が高くなり信頼性が著しく低下するという問題がある。一方、半導体メモリをビデオカメラ本体に内蔵し、着脱不可能な構成にすると、限られた時間の映像データしか記録することができないという問題が生じる。
【０００７】
本発明の目的は、８ｍｍ規格のビデオカセット並みの超小型サイズで録画再生を可能としたビデオカメラを用いて長時間の映像データを記録できるビデオカメラシステムを実現すること、さらに、長期的な映像データの保存のためにユーザに負担を強いることのないビデオカメラシステムを実現することにある。
【課題を解決するための手段】
【０００８】
上記目的を達成するために、本発明のビデオカメラは、結像した光学像を光電変換する撮像素子、該撮像素子を駆動する駆動回路、該撮像素子の出力信号に所定の信号処理を施し、所定の動画映像データを生成する信号処理回路、該動画映像データに所定のデータ圧縮処理を施し、圧縮映像データを生成する圧縮回路、ビデオカメラ本体内部に固定され、該圧縮映像データを記憶する第１の記憶装置、及び該第１の記憶装置から読み出された該圧縮映像データを該ビデオカメラ本体の外部に出力する第１のディジタル信号出力手段を有する。
【０００９】
また、本発明のビデオカメラシステムは、上記ビデオカメラ本体と外部記録装置から成り、該外部記録装置は、該ビデオカメラ本体の第１のディジタル信号出力手段に着脱可能に接続され、該圧縮映像データを入力する第１のディジタル信号入力手段、及び該第１の記憶装置よりも大容量であって、該第１のディジタル信号入力手段によって入力した該圧縮映像データを記憶する第２の記憶装置を有する。
【００１０】
ビデオカメラ本体に内蔵された記憶装置は、圧縮された映像データを一時的に記憶し、この圧縮映像データは、撮影終了後、ディジタル信号出力手段によってケーブルや光または公共の通信回線を介して、外部記録装置に転送される。従って、長期的な映像データの保存は外部の記憶装置で行なえるので、ビデオカメラ本体に内蔵された記憶装置は、半導体メモリやディスク形メモリなど、従来のＶＴＲテープと比べ非常に小型なものを用いることができる。また、該記憶装置をビデオカメラ本体から着脱できないように固定すれば、静電気などにより映像データが破壊されることはない。
【００１１】
なお、外部記録装置に記録された映像データの再生は、外部記録装置から圧縮映像データをビデオカメラ本体に再び入力し、ビデオカメラ本体でデータ伸長とテレビ信号への変換を行った後、該テレビ信号をＴＶモニタ等に出力することによって行なうこともできる。
【発明の効果】
【００１２】
本発明によると、従来のＶＴＲを用いたものと比べて記録部分を小形化するこができ、非常に小型なビデオカメラが実現できる。また、通信回線を使って一時記録されたデータを自宅などにある外部記録装置に転送することができるので、旅行の際などで多くのテープを持ち歩く必要がなくなる。また、転送されるデータは、圧縮されているので転送時間を短かくすることができ、ディジタル信号であるので画質劣化を起こすこともない。さらに、撮影後にビデオカメラ内の半導体メモリまたはハードディスクに記録された映像データは、外部記録装置の半導体メモリ、ハードディスクまたはデータストレージに転送され、また、外部記録装置に記録された映像データは、ビデオカメラに入力され、伸長されてからテレビ信号として出力されるので、長時間の映像データを録画再生することができる。さらに、ビデオカメラと外部記録装置との間で映像データを転送している時に、ビデオカメラのバッテリの充電を行えるので、充電の作業を簡単にすることができる。
【発明を実施するための最良の形態】
【００１３】
以下、本発明の実施例を図面により説明する。図１は本発明によるビデオカメラの一実施例を示すブロック図である。このビデオカメラ２０は、撮像素子１、ＣＤＳ／ＡＧＣ回路２、Ａ／Ｄ変換器３、信号処理回路４、圧縮伸長回路５、半導体メモリ６、駆動回路７、マイコン（マイクロコンピュータ）８、テレビ信号入力端子９、ディジタルＩ／Ｏ端子１０、テレビ信号出力端子１１、メモリコントローラ１２、及びＤ／Ａ変換器１７から構成されている。
【００１４】
駆動回路７によって駆動される撮像素子１の出力端子は、ＣＤＳ／ＡＧＣ回路２の入力端子に接続される。ＣＤＳ／ＡＧＣ回路２の出力端子は、Ａ／Ｄ変換器３の２つの入力端子の一方に接続される。テレビ信号入力端子９は、Ａ／Ｄ変換器３の他方の入力端子に接続される。Ａ／Ｄ変換器３の出力端子は、信号処理回路４の入力端子に接続される。信号処理回路４の出力端子は、Ｄ／Ａ変換器１７の入力端子に接続される。Ｄ／Ａ変換器１７の出力端子は、テレビ信号出力端子１１に接続される。信号処理回路４の２つの入出力端子は、圧縮伸長回路５の４つの入出力端子の１つ及びマイコン８に各々接続される。圧縮伸長回路５の他の入出力端子は、ディジタルＩ／Ｏ端子１０、マイコン８及び半導体メモリ６の入出力端子に各々接続される。マイコン８は、駆動回路７、信号処理回路４、圧縮伸長回路５及びメモリコントローラ１２に接続される。マイコン８は、メモリコントローラ１２を介して半導体メモリ６を制御する。さらに、半導体メモリ６は、ユーザが自由にビデオカメラ２０内から取り外せない構造で取り付けられており、静電気による映像データの破壊を防止する構造となっている。
【００１５】
かかる構成において、カメラモードで使用する場合には、撮像素子１で光電変換が行なわれて映像信号が生成され、この映像信号にＣＤＳ／ＡＧＣ回路２で雑音低減処理や信号レベルを一定にする処理が施され、Ａ／Ｄ変換器３でディジタル信号に変換される。また、ライン入力モードで使用する場合には、テレビ信号入力端子９から入力された複合映像信号がＡ／Ｄ変換器３でディジタル信号に変換される。
【００１６】
Ａ／Ｄ変換器３から出力されるディジタル信号は、信号処理回路４に供給される。カメラモードの場合には、信号処理回路４は、輝度信号と色差信号を生成し、色差信号を色副搬送波で変調し、さらに輝度信号と混合して複合映像信号を生成する。また、ライン入力モードの場合には、信号処理回路４は、ディジタル信号を輝度信号と変調色信号とに分離し、変調色信号を色差信号に復調する。
【００１７】
信号処理回路４で生成された複合映像信号は、Ｄ／Ａ変換器１７でアナログ信号に変換され、テレビ信号出力端子１１から出力される。また、信号処理回路４で生成された色差信号と輝度信号は、圧縮伸長回路５に供給され、データ圧縮されて半導体メモリ６に記録されるとともに、ディジタルＩ／Ｏ端子１０に出力される。半導体メモリ６からかかる映像データを読み出す場合には、半導体メモリ６からの圧縮された色差信号及び輝度信号が圧縮伸長回路５を介してディジタルＩ／Ｏ端子１０に出力される。また、この圧縮された映像データは、圧縮伸長回路５でデータ伸長されて、信号処理回路４に供給される。信号処理回路４は、この色差信号を色副搬送波で変調して輝度信号と混合して複合映像信号を生成する。この複合映像信号をＤ／Ａ変換器１７でアナログ信号に変換してテレビ信号出力端子１１から出力するようにする。
【００１８】
以上のように、このビデオカメラでは、記録手段としてＶＴＲを使わず、半導体メモリを用いているので、装置全体を非常に小型にすることができる。また、撮影によって得られる映像信号はデータ圧縮されて半導体メモリに一時記録され、この半導体メモリに記録された映像データはディジタルＩ／Ｏ端子から出力される。そこで、ビデオカメラ２０の外部に設けた外部記録装置にこの映像データを転送することにより、映像信号を保存することができる。映像信号は、ディジタルＩ／Ｏ端子からディジタルデータとして出力されるので、ダビングしても画質劣化を引き起こすことがない。さらに、アナログのテレビ信号の入力端子と出力端子を設けているので、アナログＶＴＲなどで記録された映像信号もディジタル信号に変えて外部記録装置に保存することができ、半導体メモリに記録したディジタルデータを既存のＴＶモニタで見ることもできる。さらに、このビデオカメラでは、半導体メモリがユーザが自由に外せない構造で固定されているので、半導体メモリの破損を防止することができる。
【００１９】
図２は、図１における半導体メモリ６の一具体例を示す図である。この半導体メモリ６は、複数のメモリウェハー６１〜６５を積層して構成したものである。この構成によれば、半導体メモリ６のＩＣのサイズを大きくすることなく、記録容量を上げることができるので、ビデオカメラ２０のサイズを大きくすることなく、半導体メモリ６に一時記録させておくデータ量を増すことができる。
【００２０】
図３は、本発明によるビデオカメラの他の例を示すブロック図である。なお、図１に対応する部分には同一符号をつけてあり、重複する説明は省略する。図１のビデオカメラと異なるのは、半導体メモリ６の代わりにハードディスク１３を用いていることである。このハードディスク１３も、ユーザが自由に外部に取り外せない構造でビデオカメラ２０に取り付けられており、着脱時に伴う振動による破壊を防止する構造となっている。このビデオカメラによっても、図１のビデオカメラと同様の効果が得られる。さらに、ハードディスクの記憶容量は、半導体メモリ６よりも一般に大きいので、ビデオカメラに一時記録する映像データの量をより多くすることができる。
【００２１】
図４は、本発明によるビデオカメラの他の例を示すブロック図である。なお、図１に対応する部分には同一符号をつけてあり、重複する説明は省略する。図１のビデオカメラと異なるのは、通信モデム１５及び通信Ｉ／Ｏ端子１６を設けたことである。圧縮伸長回路５の１つの入出力端子が通信モデム１５の入出力端子に接続され、通信モデム１５のもう１つの入出力端子が通信Ｉ／Ｏ端子１６に接続されている。さらに、通信Ｉ／Ｏ端子１６は公共の通信網等に接続される。一方、ユーザは、自宅などに設置されたＶＴＲなどの外部記録装置を同様に通信網に接続しておく。圧縮伸長回路５でデータ圧縮された映像データ、または、半導体メモリ６から読み出されて圧縮伸長回路５から供給されるデータ圧縮された映像データは、通信モデム１５により通信Ｉ／Ｏ端子１６から公共の通信網を介して上記の外部記録装置に転送される。このビデオカメラでも、図１のカメラと同様の効果が得られ、さらに、ユーザは、外部記録装置を持ち歩くことなく長時間の撮影ができる。なお、通信モデムはビデオカメラ２０に内蔵されているが、ビデオカメラ２０の外部に設けてもよい。また、図３にビデオカメラに通信モデムと通信Ｉ／Ｏ端子を設ければ、同様の効果を得ることができる。
【００２２】
図５は、図１、図３及び図４のビデオカメラにおける信号処理回路４とデータ圧縮伸張回路５の一具体例を示したものである。信号処理回路４は、カメラ信号処理回路３４、テレビ信号処理回路３５、変調器３８、スイッチ３３、３６及び３７を有する。圧縮伸長回路５は、圧縮回路４１、伸長回路４２、スイッチ３９、４３、４４、４５及び４６を有する。ディジタルＩ／Ｏ端子１０より圧縮伸長回路５に供給されたデータは、スイッチ４５、４４を介して伸長回路４２に供給される。伸長回路４２の出力データは、スイッチ３９を介して圧縮伸長回路５の出力データとなる。圧縮伸長回路５の出力データは、信号処理回路４に入力される。信号処理回路４に入力されたデータは、スイッチ３６、３７を介して変調器３８に供給される。変調器３８の出力信号は信号処理回路４の出力信号となる。
信号処理回路４の出力信号は、Ｄ／Ａ変換器に供給される。マイコン８はスイッチ３３、３６、３７、３９、４３、４４、４５、４６、カメラ信号処理回路３４、テレビ信号処理回路３５、変調器３８、圧縮回路４１、伸長回路４２に接続されている。
【００２３】
以下その動作を説明する。ディジタルＩ／Ｏ端子１０より入力された圧縮された映像データは、圧縮伸長回路５の中の伸長回路４２で伸長されて圧縮伸長回路５より出力される。圧縮伸長回路５より出力された映像データは、信号処理回路４に入力され、変調器３８で変調されて信号処理回路４より出力される。信号処理回路４より出力された変調された映像信号は、Ｄ／Ａ変換器１７でアナログ信号に変換される。なお、スイッチ３３、３６、３７、３９、４３、４４、４５、４６はマイコンによって上記の動作になるように予め切り換えられる。なお、本実施例ではビデオカメラ装置２０に内蔵の映像データ記録用のメモリとして半導体メモリ６を使用しているが、これはハードディスク１３でもよい。
【００２４】
図６は、図１のビデオカメラを用いたビデオカメラシステムの一例を示すブロック図である。なお、ここでは、図１のビデオカメラを用いたが、図３または図４のビデオカメラのいずれをを用いてもよい。このビデオカメラ２０に接続される外部記録装置２３は、ディジタルＩ／Ｏ端子１０とディジタルＩ／Ｏ端子７１を介して接続されている。ディジタルＩ／Ｏ端子７１は、メモリコントローラ１４と半導体メモリ１８にデータを供給する。半導体メモリ１８は、ディジタルＩ／Ｏ端子７１とデータストレージ３２にデータを供給する。メモリコントローラ１４は、半導体メモリ１８に制御データを供給する。データストレージ３２は、半導体メモリ１８にデータを供給する。
【００２５】
以下、図６のビデオカメラシステムにおいて、半導体メモリ６に記録されている圧縮された映像データが外部記録装置２３に転送される動作について説明する。半導体メモリ６に記録されている圧縮された映像データは、圧縮伸長回路５、ビデオカメラ２０のディジタルＩ／Ｏ端子１０、及び外部記録装置２３のディジタルＩ／Ｏ端子７１を介して半導体メモリ１８に転送される。なお、圧縮データは、圧縮伸長回路５を介して転送されているが、データは圧縮されたまま転送される。一度半導体メモリ１８に転送された映像データは、さらに着脱可能なデータストレージ３２に転送される。
【００２６】
次に、図６のビデオカメラシステムにおいて、外部記録装置２３に記録されてた圧縮された映像データを伸長してテレビ信号に変換する動作について説明する。着脱可能なデータストレージ３２に記録されている圧縮された映像データは、外部記録装置２３の半導体メモリ１８、ディジタルＩ／Ｏ端子７１、及びビデオカメラ２０のディジタルＩ／Ｏ端子１０を介して圧縮伸長回路５で伸長される。
さらに、伸長されたデータは、信号処理回路４でテレビ信号に変換され、さらにＤ／Ａ変換器１７でアナログのテレビ信号に変換され、テレビ信号出力端子１１を介して出力される。このテレビ信号はＴＶモニタ等に入力されて画像として映し出される。
【００２７】
このビデオカメラシステムによれば、ビデオカメラ装置２０の記録手段として半導体メモリ６を用い、半導体メモリ６は、一時記録用として必要なだけの容量であるので、超小型のビデオカメラを実現できる。さらに、撮影後に圧縮された映像データを外部記録装置２３に転送し、外部記録装置２３の内容を再生する時は外部記録装置２３に記録されている圧縮された映像データをビデオカメラ２０に入力、伸長してからテレビ信号として出力するので、長時間の映像データを録画再生できる。また、ビデオカメラ２０及び外部記録装置２３の間で転送される映像データは、圧縮された映像データであるので、高速で転送することができる。外部記録装置２３の記録手段は着脱可能なデータストレージ３２であるので、このデータストレージ３２を交換することにより、記録できる映像データの量は制限されない。そして、ビデオカメラ２０の映像データを外部記録装置２３に転送するときは、一度半導体メモリ１８に高速で転送した後で、データストレージ３２に転送し直すので、データストレージ３２に直接転送するよりも早くビデオカメラ装置２０は転送作業から解放される。さらに、外部から入力したテレビ信号を外部記録装置２３に録画したり再生することもできる。
【００２８】
図７は、図１のビデオカメラを用いたビデオカメラシステムの他の一例を示すブロック図である。図７は、図６のシステムにおける外部記録装置２３の半導体メモリ１８とデータストレージ３２をハードディスク１９に置き換えたものである。これは、パソコンのハードディスクに映像データを記録する場合に用いられる。このシステムでも、図６のシステムと本質的に同様な効果が得られる。
図８は、本発明のビデオカメラシステムにおける各機器の接続の例を示す図である。ここでは、ビデオカメラ２０に、外部記録装置２３、ＴＶモニタ２２、アナログＶＴＲ２１が接続されている。ビデオカメラ２０のテレビ信号入力端子９はアナログＶＴＲ２１に接続され、ビデオカメラ２０のディジタルＩ／Ｏ端子１０は外部記録装置２３に接続され、テレビ信号出力端子１１はＴＶモニタ２２に接続される。ここで用いるビデオカメラ２０及び外部記録装置２３は先に述べたもののいずれでもよい。しかし、図４に示したビデオカメラの場合、ここでは、通信Ｉ／Ｏ端子１６は使用されていない。このように各機器を接続することによって、ビデオカメラ２０に内蔵された一時記録用のメモリ（半導体メモリ６やハードディスク１３）に記録されている映像データを外部記録装置２３に転送したり、ＴＶモニタ２２でモニタしたりすることができる。また、アナログＶＴＲ２１で映像信号を再生して、ビデオカメラ２０のテレビ信号入力端子９に入力し、これを上述のように処理して外部記録装置２３にダビングすることができる。
【００２９】
図９は、本発明のビデオカメラシステムにおける各機器の接続の他の例を示す図である。ビデオカメラ２０は、ＴＶモニタ２２及びディジタルＶＴＲ２７に接続されている。ビデオカメラ２０は図１、図３及び図４に示したもののいずれでもよい。ビデオカメラ２０のディジタルＩ／Ｏ端子１０はディジタルＶＴＲ２７に接続され、ビデオカメラ２０のテレビ信号出力端子１１はＴＶモニタ２２に接続される。このように各機器を接続することによって、ビデオカメラ２０内の一時記録用のメモリ（半導体メモリ６やハードディスク１３）に記録した映像データをディジタルＶＴＲ２７に転送したり、ＴＶモニタ２２でモニタしたりすることができる。
【００３０】
図１０は、本発明のビデオカメラシステムにおける各機器の接続の他の例を示す図である。ビデオカメラ２０は公共の通信網２４に接続され、通信網２４には通信モデム２５が接続されている。通信モデム２５にはパーソナルコンピュータ２６が接続される。ここではビデオカメラ２０として図４に示したビデオカメラを用いている。ビデオカメラ２０の通信Ｉ／Ｏ端子１６は公共の通信網２４を介して通信モデム２５に接続される。この通信モデム２５よりパーソナルコンピュータ２６に映像データが送られる。このように各機器を接続することによって、ビデオカメラ２０内の一時記録用のメモリ（半導体メモリ６やハードディスク１３）に記録されている映像データは、読み出され、通信Ｉ／Ｏ端子１６から公共の通信網２４を介して通信モデム２５に転送される。従って、ビデオカメラ２０とは別の場所に設置されたパーソナルコンピュータ２６の内部メモリに映像データを取り込むことができる。
【００３１】
図１１は、本発明によるビデオカメラシステムの他の例を示すブロック図である。このシステムもビデオカメラ２０と外部記録装置２３で構成される。ビデオカメラ２０は、撮像素子１、ＣＤＳ／ＡＧＣ回路２、Ａ／Ｄ変換器３、信号処理回路４、圧縮伸長回路５、半導体メモリ６、駆動回路７、マイコン８、メモリコントローラ１２、Ｄ／Ａ変換器１７、光電変換器２８ａ、２８ｂ、２８ｃ、受光素子７６ｂ及び７７ｂ、及び受光素子７６ａ、７７ａを有する。外部記録装置２３は、半導体メモリ１８、メモリコントローラ１４、光電変換器２８ｄ、２８ｅ、２８ｆ、発光素子７４ｂ、７５ｂ受光素子７４ａ、７５ａ、ディジタルＩ／Ｏ端子７１、テレビ信号入力端子７２及びテレビ信号出力端子７３を有する。駆動回路７によって駆動される撮像素子１の出力信号は、ＣＤＳ／ＡＧＣ回路２に供給される。受光素子７７ａより入力された光信号は、光電変換器２８ｃに供給される。ＣＤＳ／ＡＧＣ回路２の出力信号と光電変換器２８ｃの出力信号は、Ａ／Ｄ変換器３に供給される。Ａ／Ｄ変換器３の出力信号は、信号処理回路４に供給される。信号処理回路４の出力信号は、Ｄ／Ａ変換器１７とマイコン８と圧縮伸長回路５に供給される。Ｄ／Ａ変換器１７の出力信号は、光電変換器２８ｂに供給される。光電変換器２８ｂの出力信号は、発光素子７７ｂに供給される。圧縮伸長回路５は、信号処理回路４と半導体メモリ６と光電変換器２８ａとマイコン８にデータを供給している。光電変換器２８ａは、圧縮伸長回路５と発光素子７６ｂにデータを供給している。受光素子７６ａは、光電変換器２８ａにデータを供給している。マイコン８は、駆動回路７と信号処理回路４と圧縮伸長回路５とメモリコントローラ１２に制御データを供給している。メモリコントローラ１２は、半導体メモリ６に制御データを供給している。ビデオカメラ２０の受光素子７６ａは、外部記録装置２３の発光素子７４ｂと光で接続されている。ビデオカメラ２０の発光素子７６ｂは、外部記録装置２３の受光素子７４ａと光で接続されている。ビデオカメラ２０の発光素子７７ｂは、外部記録装置２３の受光素子７５ａと光で接続されている。ビデオカメラ２０の受光素子７７ａは、外部記録装置２３の発光素子７５ｂと光で接続されている。受光素子７４ａと発光素子７４ｂは、光電変換器２８ｄに接続されている。光電変換器２８ｄは、メモリコントローラ１４と半導体メモリ１８にデータを供給している。半導体メモリ１８は、光電変換器２８ｄとディジタルＩ／Ｏ端子７１にデータを供給している。メモリコントローラ１４は、半導体メモリ１８に制御データを供給している。受光素子７５ａから入力された信号は、光電変換器２８ｅに供給される。光電変換器２８ｅの出力信号は、テレビ信号出力端子７３に供給される。テレビ信号入力端子７２から入力された信号は、光電変換器２８ｆに供給される。光電変換器２８ｆの出力信号は、発光素子７５ｂに供給される。
【００３２】
図１２は、図１１のビデオカメラシステムの各構成要素の接続の例を示す。ビデオカメラ２０の発光素子７７ｂは、外部記録装置２３の受光素子７５ａと接続されている。ビデオカメラ２０の受光素子７７ａは、外部記録装置２３の発光素子７５ｂと接続されている。ビデオカメラ２０の発光素子７６ｂは、外部記録装置２３の受光素子７４ａと接続されている。ビデオカメラ２０の受光素子７６ａは、外部記録装置２３の発光素子７４ｂと接続されている。外部記録装置２３のディジタルＩ／Ｏ端子７１は、ディジタルＶＴＲ２７と接続されている。外部記録装置２３のテレビ信号出力端子７３とテレビ信号入力端子７２は、アナログＶＴＲ２１と接続されている。外部記録装置２３のテレビ信号出力端子７３はＴＶモニタ２２とも接続されている。また、ビデオカメラ２０を外部記録装置２３の所定の位置に乗せた状態で、ビデオカメラ２０の発光素子７６ｂ、７７ｂ及び受光素子７６ａ、７７ａは、外部記録装置２３の受光素子７４ａ、７５ａ及び発光素子７４ｂ、７５ｂに光学的に接続されるようになっている。
【００３３】
次に、図１１及び図１２のビデオカメラの動作を説明する。カメラで撮影した映像データを半導体メモリ６に記録するまでの動作については、図１のビデオカメラの例と同様である。
【００３４】
まず、外部より入力したテレビ信号を外部記録装置２３を介して半導体メモリ６に記録するまでの動作について説明する。アナログＶＴＲ２１の出力信号は、外部記録装置２３のテレビ信号入力端子７２から入力される。このテレビ信号は、外部記録装置２３で光電変換され、発光素子７５ｂ、受光素子７７ａを介してビデオカメラ２０に入力される。テレビ信号は、ビデオカメラ２０で光電変換されて、さらにＡ／Ｄ変換器３によってディジタル信号に変換される。ディジタル信号に変換された映像信号は、信号処理回路４によってＹ／Ｃ分離、復調等のテレビ信号処理が施される。テレビ信号処理により生成された映像データは、圧縮伸長回路５で圧縮されて半導体メモリ６に記録される。
【００３５】
次に、半導体メモリ６に記録されている圧縮された映像データを外部記録装置２３を介してディジタルＶＴＲ２７に転送するまでの動作を説明する。半導体メモリ６に記録されている圧縮された映像データは、圧縮伸長回路５を介して光電変換器２８ａに入力され、光電変換される。光電変換された圧縮された映像データは、発光素子７６ｂ、受光素子７４ａを介して外部記録装置２３に入力される。なお、この場合、圧縮伸長回路５を介しているが、データは圧縮されたまま転送される。映像データは、外部記録装置２３で、光電変換器２８ｄによって光電変換されて半導体メモリ１８に転送される。半導体メモリ１８に一旦転送された映像データは、ディジタルＩ／Ｏ端子７１を介してディジタルＶＴＲ２７に転送される。
【００３６】
次に、ディジタルＶＴＲ２７に記録されている圧縮された映像データを伸長してテレビ信号に変換してＴＶモニタ２２に映し出すまでの動作について説明する。ディジタルＶＴＲ２７に記録されている圧縮された映像データは、外部記録装置２３のディジタルＩ／Ｏ端子７１、半導体メモリ１８を介した後、光電変換される。光電変換された映像データは、発光素子７４ｂ、受光素子７６ａを介してビデオカメラ２０に入力される。ビデオカメラ２０に入力された映像データは、再び光電変換され、圧縮伸長回路５で伸長され、信号処理回路４でテレビ信号に変換され、Ｄ／Ａ変換器１７でアナログ信号に変換された後、光電変換される。光電変換された信号は、外部記録装置２３に入力され、外部記録装置２３で発光素子７７ａ、受光素子７５ａ及びテレビ信号出力端子７３を介してＴＶモニタ２２に入力され、画像として映し出される。
【００３７】
このビデオカメラでも、図６のものと同様の効果が得られる。さらに、外部記録装置２３は、ビデオカメラ２０のステーションとなってる。即ち、ビデオカメラ２０と外部記録装置２３とは、発光素子７６ｂ、７４ｂと受光素子７４ａ、７６ａで接続され、また、テレビ信号も受光素子７５ａ、７７ａ、発光素子７７ｂ、７５ｂで接続されている。テレビ信号の入出力は、外部記録装置２３のテレビ信号入力端子７２及びテレビ信号出力端子７３で行われるので、テレビ信号入力端子７２とテレビ信号出力端子７３にアナログＶＴＲ２１を、テレビ信号出力端子７３にＴＶモニタ２２を、さらに、ディジタルＩ／Ｏ端子７１にディジタルＶＴＲ２７を予め接続しておき、これらＶＴＲ２１、２７、またはＴＶモニタ２２と、ビデオカメラ２０と間でデータの転送を行うときは、外部記録装置２３の上にビデオカメラ２０をおくだけでよく、データ転送時にケーブルを接続するわずらわしさがない。さらに、水中等で使用するためビデオカメラ２０全体を防水パッケージに入れられ、端子が外部に出せない場合でも、光接続によりデータの転送ができる。なお、ビデオカメラ２０と外部記録装置２３間のデータ転送は光接続で行なっているが、光電変換器、受光素子及び発光素子を使用せずに、金属端子により接続すればより安価になる。
【００３８】
図１３は、本発明によるビデオカメラシステムの他の例を示すブロック図である。ビデオカメラ２０用のバッテリ８１と、外部記録装置２３に内蔵されたＡＣアダプタ８２とが、充電用入力端子８３、充電用出力端子８４及び共通ケーブル８５によって接続されている。共通ケーブル８５は、ディジタルの映像データの転送及びＡＣアダプタからバッテリへの電力の供給も行なう。ケーブル８５は、ビデオカメラ２０と外部記録装置２３との間のディジタル映像データの転送をディジタルＩ／Ｏ端子１０及び７１を介して行い、かつ、ＡＣアダプタ８２でＡＣ電源によって発生したＤＣ電力は、充電用出力端子８４、ケーブル８５及び充電用入力端子８３を介してバッテリ８１に供給される。ビデオカメラ２０と外部記録装置２３間で映像データの転送を行うとき、ケーブル８５を介してＡＣアダプタ８２によりバッテリ８１を充電できる。そのため、データ転送作業前にビデオカメラ２０のバッテリ８１の残量が低下していても、データ転送作業中に同時に簡単に充電を行うことができる。
【００３９】
図１４は、本発明によるビデオカメラシステムの他の例を示す図である。図１３のシステムと同様に、ビデオカメラ２０用のバッテリ８１と、外部記録装置２３に内蔵されたＡＣアダプタ８２とが、充電用入力端子７８及び充電用出力端子７９によって接続されている。ビデオカメラ２０と外部記録装置２３との映像データの転送は、光接続で行われる。さらに、ＡＣアダプタ８２でＡＣ電源によって発生したＤＣ電力は、充電用出力端子７９及び充電用入力端子７８を介してバッテリ８１に供給される。なお、充電用出力端子７９及び充電用入力端子７８は、金属端子を使用した接触型のものでも、電磁誘導等を利用した非接触型のものでもよい。このシステムでも、図１２のシステムと同様に、外部記録装置２３はビデオカメラ２０のステーションとなっているので、ＶＴＲ２１、２７及びＴＶモニタ２２と、ビデオカメラ２０との間でデータの転送を行うときは、外部記録装置２３の所定の位置にビデオカメラ２０をおくだけでよい。従って、データ転送時にケーブルを接続するわずらわしさがなく、さらに、図１２のシステムと同様に、データ転送と同時にビデオカメラ２０の充電も行うことができる。なお、図１２のシステムと同様に、ビデオカメラ２０と外部記録装置２３間のデータ転送は光接続で行なっているが、光電変換器、受光素子及び発光素子を使用せずに、金属端子により接続しても良い。
【図面の簡単な説明】
【００４０】
【図１】本発明によるビデオカメラの一例を示すブロック図である。
【図２】本発明によるビデオカメラの記録装置として使用する半導体メモリの一例を示す図である。
【図３】本発明によるビデオカメラの他の例を示すブロック図である。
【図４】本発明によるビデオカメラの他の例を示すブロック図である。
【図５】本発明によるビデオカメラの信号処理回路及び圧縮伸長回路の一例を示すブロック図である。
【図６】本発明によるビデオカメラシステムの一例を示すブロック図である。
【図７】本発明によるビデオカメラシステムの他の例を示すブロック図である。
【図８】本発明によるビデオカメラシステムと他の機器との接続の例を示す概要図である。
【図９】本発明によるビデオカメラシステムの他の例を示す概要図である。
【図１０】本発明によるビデオカメラシステムの他の例を示す概要図である。
【図１１】本発明によるビデオカメラシステムの他の例を示すブロック図である。
【図１２】本発明によるビデオカメラシステムの他の例を示す概要図である。
【図１３】本発明によるビデオカメラシステムの他の例を示すブロック図である。
【図１４】本発明によるビデオカメラシステムの他の例を示す概要図である。
【符号の説明】
【００４１】
１…撮像素子、
２…ＣＤＳ／ＡＧＣ回路、
３…Ａ／Ｄ変換器、
４…信号処理回路、
５…圧縮伸長回路、
６…半導体メモリ、
７…駆動回路、
８…マイコン（マイクロコンピュータ）、
９…テレビ信号入力端子、
１０…ディジタルＩ／Ｏ端子、
１１…テレビ信号出力端子、
１２…メモリコントローラ、
１３…ハードディスク、
１４…メモリコントローラ、
１５…通信モデム、
１６…通信Ｉ／Ｏ端子、
１７…Ｄ／Ａ変換器、
１８…半導体メモリ、
１９…ハードディスク、
２０…ビデオカメラ、
２１…アナログＶＴＲ、
２２…ＴＶモニタ、
２３…外部記録装置。
【図１】
2006203954.tif 000003
【図２】
2006203954.tif 000004
【図３】
2006203954.tif 000005
【図４】
2006203954.tif 000006
【図５】
2006203954.tif 000007
【図６】
2006203954.tif 000008
【図７】
2006203954.tif 000009
【図８】
2006203954.tif 000010
【図９】
2006203954.tif 000011
【図１０】
2006203954.tif 000012
【図１１】
2006203954.tif 000013
【図１２】
2006203954.tif 000014
【図１３】
2006203954.tif 000015
【図１４】
2006203954.tif 000016